(57)【要約】本開示は、情報配置方法及び装置と、時間周波数位置の確定方法及び装置と、基地局と、ユーザ端末と、コンピュータ読み取り可能な記憶媒体とを提供する。情報配置装置は、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を生成することと、ユーザ端末ＵＥに第一の配置情報を送信することとを含む。本開示の実施例は、現在のＲＭＳＩのＣＯＲＥＳＥＴに対応するＳＳＢの時間周波数位置を表す第一の配置情報を生成してＵＥに送信することにより、ＳＳＢにフレキシブルな時間周波数位置を配置することができ、ＵＥが現在のＲＭＳＩのＣＯＲＥＳＥＴの位置及び受信した第一の配置情報に基づき、現在のＲＭＳＩのＣＯＲＥＳＥＴに対応するＳＳＢの時間周波数位置を確定することができる。【選択図】図１Ａ
2021511758.tif 000002
【特許請求の範囲】
【請求項１】
基地局に用いられる情報配置方法であって、
現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を生成することと、
ユーザ端末ＵＥに前記第一の配置情報を送信することと、を含むことを特徴とする情報配置方法。
【請求項２】
ＵＥに前記第一の配置情報を送信することは、
前記第一の配置情報を情報要素ＩＥに付加することと、
前記ＩＥを、前記現在のＲＭＳＩのＣＯＲＥＳＥＴに対応する帯域幅部分をアクティブ帯域幅部分として配置するために用いられる第二の配置情報に付加することと、
無線リソース制御ＲＲＣシグナリングにより前記ＵＥに前記第二の配置情報を送信することと、を含むことを特徴とする請求項１に記載の方法。
【請求項３】
ユーザ端末ＵＥに用いられる時間周波数位置の確定方法であって、
基地局から送信された、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を受信することと、
現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定することと、を含むことを特徴とする時間周波数位置の確定方法。
【請求項４】
現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うことを更に含むことを特徴とする請求項３に記載の方法。
【請求項５】
現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うことと、
前記ＳＳＢを受信することと、
受信した前記ＳＳＢを基準波束とすることと、を更に含むことを特徴とする請求項３に記載の方法。
【請求項６】
基地局から送信された第一の配置情報を受信することは、
前記基地局が無線リソース制御ＲＲＣシグナリングにより送信した、前記現在のＲＭＳＩのＣＯＲＥＳＥＴに対応する帯域幅部分をアクティブ帯域幅部分として配置するために用いられる第二の配置情報を受信することと、
前記第二の配置情報の中から情報要素ＩＥを解析することと、
前記ＩＥの中から前記第一の配置情報を解析することと、を含むことを特徴とする請求項３に記載の方法。
【請求項７】
基地局に用いられる情報配置装置であって、
現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を生成するように配置されている生成モジュールと、
ユーザ端末ＵＥに前記生成モジュールにより生成された前記第一の配置情報を送信するように配置されている送信モジュールと、を含むことを特徴とする情報配置装置。
【請求項８】
前記送信モジュールは、
前記第一の配置情報を情報要素ＩＥに付加するように配置されている第一の付加サブモジュールと、
前記第一の付加サブモジュールにより前記第一の配置情報が付加された前記ＩＥを、前記現在のＲＭＳＩのＣＯＲＥＳＥＴに対応する帯域幅部分をアクティブ帯域幅部分として配置するために用いられる第二の配置情報に付加する第二の付加サブモジュールと、
無線リソース制御ＲＲＣシグナリングにより、前記第二の付加サブモジュールで前記ＩＥが付加された前記第二の配置情報を前記ＵＥに送信するように配置されている送信サブモジュールと、を含むことを特徴とする請求項７に記載の装置。
【請求項９】
ユーザ端末ＵＥに用いられる時間周波数位置の確定装置であって、
基地局から送信された、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を受信するように配置されている第一の受信モジュールと、
現在のＲＭＳＩのＣＯＲＥＳＥＴの位置及び前記第一の受信モジュールにより受信された前記第一の配置情報に基づき、前記現在のＲＭＳＩのＣＯＲＥＳＥＴに対応する前記ＳＳＢの時間周波数位置を確定するように配置されている第一の確定モジュールと、を含むことを特徴とする時間周波数位置の確定装置。
【請求項１０】
前記第一の確定モジュールにより前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うように配置されているレートマッチングモジュールを更に含むことを特徴とする請求項９に記載の装置。
【請求項１１】
前記第一の確定モジュールにより前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うように配置されているレートマッチングモジュールと、
前記レートマッチングモジュールによりレートマッチングを行った後、前記ＳＳＢを受信するように配置されている第二の受信モジュールと、
前記第二の受信モジュールにより受信された前記ＳＳＢを基準波束とするように配置されている第二の確定モジュールと、を更に含むことを特徴とする請求項９に記載の装置。
【請求項１２】
前記第一の受信モジュールは、
前記基地局が無線リソース制御ＲＲＣシグナリングにより送信した、前記現在のＲＭＳＩのＣＯＲＥＳＥＴに対応する帯域幅部分をアクティブ帯域幅部分として配置するために用いられる第二の配置情報を受信するように配置されている受信サブモジュールと、
前記受信サブモジュールにより受信された前記第二の配置情報の中から情報要素ＩＥを解析するように配置されている第一の解析サブモジュールと、
前記第一の解析サブモジュールにより解析された前記ＩＥの中から前記第一の配置情報を解析するように配置されている第二の解析サブモジュールと、を含むことを特徴とする請求項９に記載の装置。
【請求項１３】
プロセッサと、
プロセッサにより実行可能なコマンドを記憶するためのメモリと、を含み、
前記プロセッサは、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を生成し、ユーザ端末ＵＥに前記第一の配置情報を送信するように配置されていることを特徴とする基地局。
【請求項１４】
プロセッサと、
プロセッサにより実行可能なコマンドを記憶するためのメモリと、を含み、
前記プロセッサは、基地局から送信された、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を受信し、現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定するように配置されていることを特徴とするユーザ端末。
【請求項１５】
コンピュータコマンドを記憶するコンピュータ読み取り可能な記憶媒体であって、
当該コマンドがプロセッサにより実行される場合、請求項１又は２に記載の情報配置方法のステップを実現することを特徴とするコンピュータ読み取り可能な記憶媒体。
【請求項１６】
コンピュータコマンドを記憶するコンピュータ読み取り可能な記憶媒体であって、
当該コマンドがプロセッサにより実行される場合、請求項３〜６の何れか１項に記載の時間周波数位置の確定方法のステップを実現することを特徴とするコンピュータ読み取り可能な記憶媒体。
【発明の詳細な説明】
【技術分野】
【０００１】
本願は、通信技術分野に関し、特に、情報配置方法及び装置と、時間周波数位置の確定方法及び装置と、基地局と、ユーザ端末と、コンピュータ読み取り可能な記憶媒体とに関する。
【背景技術】
【０００２】
無線通信技術の急速な発展に伴い、第五世代移動通信システム（５ｔｈ  Ｇｅｎｅｒａｔｉｏｎ、５Ｇと略称される）が登場した。最近の第三世代パートナーシッププロジェクト（３ｒｄ  Ｇｅｎｅｒａｔｉｏｎ  Ｐａｒｔｎｅｒｓｈｉｉｐ  Ｐｒｏｊｅｃｔ、３ＧＰＰと略称される）に関する討論では、ユーザ端末（ＵＥ）に配置されているアクティブ帯域幅が初期探索の初期アクセス帯域幅ではない場合、基地局（ｇＮＢ）は、ＵＥに他の残存最小システム情報（ＲＭＳＩ）を受信するための共通制御リソースセット（Ｃｏｎｔｒｏｌ  ｒｅｓｏｕｒｃｅ  ｓｅｔ、ＣＯＲＥＳＥＴと略称される）を配置することができることが承認された。しかしながら、ＵＥに新たなＣＯＲＥＳＥＴが配置された後、すぐにＲＭＳＩを受信し、ランダムアクセスを行う必要が生じる可能性がある。ところで、このような場合、レートマッチングを行う必要があり、即ち、ＵＥは、同期ブロードキャストブロック（ＳＳＢ）の周波数領域及び時間領域位置を把握する必要がある。関連技術においては、全ての帯域幅部分（ＢＷＰ）におけるＳＳＢ及びＲＭＳＩのＣＯＲＥＳＥＴの時間領域位置が固定位置であると規定されているが、これによりフレキシビリティが制限されてしまう。
【発明の概要】
【発明が解決しようとする課題】
【０００３】
上記内容に鑑み、本願は、情報配置方法及び装置と、時間周波数位置の確定方法及び装置と、基地局と、ユーザ端末と、コンピュータ読み取り可能な記憶媒体とを提供することにより、ＳＳＢにフレキシブルな時間周波数位置を配置し、ＵＥがＳＳＢの時間周波数位置を確定することができることを実現する。
【課題を解決するための手段】
【０００４】
本願の実施例の第一の側面により、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を生成することと、ユーザ端末ＵＥに前記第一の配置情報を送信することとを含む、基地局に用いられる情報配置方法を提供する。
【０００５】
一つの実施例においては、ＵＥに前記第一の配置情報を送信することは、前記第一の配置情報を情報要素ＩＥに付加することと、前記ＩＥを、前記現在のＲＭＳＩのＣＯＲＥＳＥＴに対応する帯域幅部分をアクティブ帯域幅部分として配置するために用いられる第二の配置情報に付加することと、無線リソース制御ＲＲＣシグナリングにより前記ＵＥに前記第二の配置情報を送信することとを含む。
【０００６】
本願の実施例の第二の側面により、基地局から送信された、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を受信することと、現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定すると、を含む、ユーザ端末ＵＥに用いられる時間周波数位置の確定方法を提供する。
【０００７】
一つの実施例においては、前記方法は、現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うことを更に含む。
【０００８】
一つの実施例においては、前記方法は、現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うことと、前記ＳＳＢを受信することと、受信した前記ＳＳＢを基準波束とすることと、を更に含む。
【０００９】
一つの実施例においては、基地局から送信された第一の配置情報を受信することは、前記基地局が無線リソース制御ＲＲＣシグナリングにより送信した、前記現在のＲＭＳＩのＣＯＲＥＳＥＴに対応する帯域幅部分をアクティブ帯域幅部分として配置するために用いられる第二の配置情報を受信することと、前記第二の配置情報の中から情報要素ＩＥを解析することと、前記ＩＥの中から前記第一の配置情報を解析することと、を含む。
【００１０】
本願の実施例の第三の側面により、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を生成するように配置されている生成モジュールと、ユーザ端末ＵＥに前記生成モジュールにより生成された前記第一の配置情報を送信するように配置されている送信モジュールとを含む、基地局に用いられる情報配置装置を提供する。
【００１１】
一つの実施例においては、前記送信モジュールは、前記第一の配置情報を情報要素ＩＥに付加するように配置されている第一の付加サブモジュールと、前記第一の付加サブモジュールにより前記第一の配置情報が付加された前記ＩＥを、前記現在のＲＭＳＩのＣＯＲＥＳＥＴに対応する帯域幅部分をアクティブ帯域幅部分として配置するために用いられる第二の配置情報に付加する第二の付加サブモジュールと、無線リソース制御ＲＲＣシグナリングにより、前記第二の付加サブモジュールで前記ＩＥが付加された前記第二の配置情報を前記ＵＥに送信するように配置されている送信サブモジュールと、を含む。
【００１２】
本願の実施例の第四の側面により、基地局から送信された、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を受信するように配置されている第一の受信モジュールと、現在のＲＭＳＩのＣＯＲＥＳＥＴの位置及び前記第一の受信モジュールにより受信された前記第一の配置情報に基づき、前記現在のＲＭＳＩのＣＯＲＥＳＥＴに対応する前記ＳＳＢの時間周波数位置を確定するように配置されている第一の確定モジュールと、を含む、ユーザ端末ＵＥに用いられる時間周波数位置の確定装置を提供する。
【００１３】
一つの実施例においては、前記装置は、前記第一の確定モジュールにより前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うように配置されているレートマッチングモジュールを更に含む。
【００１４】
一つの実施例においては、前記装置は、前記第一の確定モジュールにより前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うように配置されているレートマッチングモジュールと、前記レートマッチングモジュールによりレートマッチングを行った後、前記ＳＳＢを受信するように配置されている第二の受信モジュールと、前記第二の受信モジュールにより受信された前記ＳＳＢを基準波束とするように配置されている第二の確定モジュールと、を更に含む。
【００１５】
一つの実施例においては、前記第一の受信モジュールは、前記基地局が無線リソース制御ＲＲＣシグナリングにより送信した、前記現在のＲＭＳＩのＣＯＲＥＳＥＴに対応する帯域幅部分をアクティブ帯域幅部分として配置するために用いられる第二の配置情報を受信するように配置されている受信サブモジュールと、前記受信サブモジュールにより受信された前記第二の配置情報から情報要素ＩＥを解析するように配置されている第一の解析サブモジュールと、前記第一の解析サブモジュールにより解析された前記ＩＥから前記第一の配置情報を解析するように配置されている第二の解析サブモジュールと、を含む。
【００１６】
本願の実施例の第五の側面により、プロセッサと、プロセッサにより実行可能なコマンドを記憶するためのメモリとを含む基地局を提供する。
【００１７】
前記プロセッサは、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を生成し、ユーザ端末ＵＥに前記第一の配置情報を送信するように配置されている。
【００１８】
本願の実施例の第六の側面により、プロセッサと、プロセッサにより実行可能なコマンドを記憶するためのメモリとを含むユーザ端末を提供する。
【００１９】
前記プロセッサは、基地局から送信された、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を受信し、現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定するように配置されている。
【００２０】
本願の実施例の第七の側面により、プロセッサにより実行される場合、前記情報配置方法のステップを実現するコンピュータコマンドを記憶するコンピュータ読み取り可能な記憶媒体を提供する。
【００２１】
本願の実施例の第八の側面により、プロセッサにより実行される場合、前記時間周波数位置の確定方法のステップを実現するコンピュータコマンドを記憶するコンピュータ読み取り可能な記憶媒体を提供する。
【発明の効果】
【００２２】
本願の実施例により提供される技術案は、以下の有益な効果を含むことができる。
【００２３】
現在のＲＭＳＩのＣＯＲＥＳＥＴに対応するＳＳＢの時間周波数位置を表す第一の配置情報を生成してＵＥに送信することにより、ＳＳＢにフレキシブルな時間周波数位置を配置することができ、ＵＥが現在のＲＭＳＩのＣＯＲＥＳＥＴの位置及び受信された第一の配置情報に基づき、現在のＲＭＳＩのＣＯＲＥＳＥＴに対応するＳＳＢの時間周波数位置を確定することができる。
【００２４】
第一の配置情報を受信し、現在のＲＭＳＩのＣＯＲＥＳＥＴの位置及び当該第一の配置情報に基づき、現在のＲＭＳＩのＣＯＲＥＳＥＴに対応するＳＳＢの時間周波数位置を確定することにより、後続においてレートマッチングを行う際にエラーが生じることを避けることができる。
【００２５】
上述した一般的な記述及び後述の細部に関する記述は、例示及び説明のためのものに過ぎず、本願を制限するものではないと理解されたい。
【図面の簡単な説明】
【００２６】
ここの図面は、明細書に加えられており、本明細書の一部を構成し、本発明に好ましい実施例を示し、明細書と共に本発明の原理を解釈するために用いられる。
【図１Ａ】本願の１つの例示する実施例による情報配置方法のフローチャート図である。
【図１Ｂ】本願の１つの例示する実施例による、現在のＲＭＳＩのＣＯＲＥＳＥＴとＳＳＢの時間周波数位置の関係の模式図１である。
【図１Ｃ】本願の１つの例示する実施例による、現在のＲＭＳＩのＣＯＲＥＳＥＴとＳＳＢの時間周波数位置の関係の模式図２である。
【図１Ｄ】本願の１つの例示する実施例による、現在のＲＭＳＩのＣＯＲＥＳＥＴとＳＳＢの時間周波数位置の関係の模式図３である。
【図２】本願の１つの例示する実施例による、ＵＥに第一の配置情報を送信するフローチャート図である。
【図３】本願の１つの例示する実施例による、１つの時間周波数位置の確定方法のフローチャート図である。
【図４】本願の１つの例示する実施例による、もう１つの時間周波数位置の確定方法のフローチャート図である。
【図５】本願の１つの例示する実施例による、もう１つの時間周波数位置の確定方法のフローチャート図である。
【図６】本願の１つの例示する実施例による、１つの時間周波数位置の確定方法のシグナリングフローチャート図である。
【図７】本願の１つの例示する実施例による、１つの情報配置装置のブロック図である。
【図８】本願の１つの例示する実施例による、もう１つの情報配置装置のブロック図である。
【図９】本願の１つの例示する実施例による、１つの時間周波数位置の確定装置のブロック図である。
【図１０】本願の１つの例示する実施例による、もう１つの時間周波数位置の確定装置のブロック図である。
【図１１】本願の１つの例示する実施例による、もう１つの時間周波数位置の確定装置のブロック図である。
【図１２】本願の１つの例示する実施例による、もう１つの時間周波数位置の確定装置のブロック図である。
【図１３】本願の１つの例示する実施例による、１つの情報配置装置に適するブロック図である。
【図１４】本願の１つの例示する実施例による、１つの時間周波数位置の確定装置に適するブロック図である。
【発明を実施するための形態】
【００２７】
ここでは、図面に示されている、例示する実施例を詳しく説明する。以下の記述が図面に係る際に、特に説明がない限り、異なる図面の中の同じ数字は、同じ又は類似する要素を表す。以下の例示する実施例において記載されている実施形態は、本発明と一致する全ての実施形態を代表するわけではない。逆に、これらは、特許請求の範囲に記載されている、本発明の幾つかの面と一致する装置及び方法の例に過ぎない。
【００２８】
図１Ａは、本願の１つの例示する実施例による情報配置方法のフローチャート図であり、当該実施例は、基地局側から記述し、図１Ａに示すように、当該情報配置方法は、ステップＳ１０１及びステップＳ１０２を含む。
【００２９】
ステップＳ１０１においては、現在のＲＭＳＩのＣＯＲＥＳＥＴに対応するＳＳＢの時間周波数位置を表すために用いられる第一の配置情報を生成する。
【００３０】
なお、ＳＳＢは、同期信号ブロック又は物理ブロードキャストチャネルブロックを意味する。
【００３１】
当該実施例においては、現在のＲＭＳＩのＣＯＲＥＳＥＴとＳＳＢの時間周波数位置の関係は、図１Ｂ、図１Ｃ及び図１Ｄに示すことができ、なお、ｔは、時間を表し、ｆは、周波数を表し、図１Ｂにおいて、現在のＲＭＳＩのＣＯＲＥＳＥＴ１１及びＳＳＢ１２の帯域幅は、同一のＢＷＰに属し、時間領域が異なり、図１Ｃにおいて、現在のＲＭＳＩのＣＯＲＥＳＥＴ１１とＳＳＢ１２は、周波数分割多重に属し、時間領域が異なり、図１Ｄにおいて、現在のＲＭＳＩのＣＯＲＥＳＥＴ１１とＳＳＢ１２は、周波数分割多重に属し、時間領域が部分的に同じである。
【００３２】
当該実施例においては、第一の配置情報により現在のＲＭＳＩのＣＯＲＥＳＥＴに対応するＳＳＢの時間周波数位置を表すことができ、図１Ｂ〜図１Ｄは、三種類の時間周波数位置の関係を示しているので、第一の配置情報は、２ｂｉｔを占める必要があり、例えば、３つの符号点（００、０１、１０）により図１Ｂ〜図１Ｄに示されている三種類の時間周波数位置の関係を表すことができ、残った１つの符号点（１１）は、保留ビット又は拡張ビットとすることができる。
【００３３】
ステップＳ１０２においては、ＵＥに第一の配置情報を送信する。
【００３４】
図２に示すように、ＵＥに第一の配置情報を送信することは、ステップＳ２０１、ステップＳ２０２及びステップＳ２０３を含むことができる。
【００３５】
ステップＳ２０１においては、第一の配置情報を情報要素（ＩＥ）に付加する。
【００３６】
なお、ＩＥは、１つのデータ構造であり、情報を積載するために用いられ、例えば、第一の配置情報を積載するために用いられることができる。基地局は、第一の配置情報を所定ＩＥに付加することができる。当該所定ＩＥは、第一の配置情報を積載することが可能なＩＥを意味する。
【００３７】
ステップＳ２０２においては、当該ＩＥを、現在のＲＭＳＩのＣＯＲＥＳＥＴに対応する帯域幅部分をアクティブ帯域幅部分（ａｃｔｉｖｅ  ＢＷＰ）として配置するために用いられる第二の配置情報に付加する。
【００３８】
ステップＳ２０３においては、無線リソース制御（ＲＲＣ）シグナリングによりＵＥに第二の配置情報を送信する。
【００３９】
第一の配置情報がＩＥの中に位置し、当該ＩＥが第二の配置情報の中に位置するので、ＲＲＣによりＵＥに第二の配置情報を送信すると、ＵＥに第一の配置情報を送信するという目的を達成することができ、実現方法が簡単である。
【００４０】
上述した実施例においては、現在のＲＭＳＩのＣＯＲＥＳＥＴに対応するＳＳＢの時間周波数位置を表す第一の配置情報を生成してＵＥに送信することにより、ＳＳＢにフレキシブルな時間周波数位置を配置することができ、ＵＥが現在のＲＭＳＩのＣＯＲＥＳＥＴの位置及び受信した第一の配置情報に基づき、現在のＲＭＳＩのＣＯＲＥＳＥＴに対応するＳＳＢの時間周波数位置を確定することができる。
【００４１】
図３は、本願の１つの例示する実施例による、１つの時間周波数位置の確定方法のフローチャート図である。当該実施例は、ＵＥ側から記述し、図３に示すように、当該方法は、ステップＳ３０１及びステップＳ３０２を含む。
【００４２】
ステップＳ３０１においては、基地局から送信された、現在のＲＭＳＩのＣＯＲＥＳＥＴに対応するＳＳＢの時間周波数位置を表すために用いられる第一の配置情報を受信する。
【００４３】
なお、ＵＥは、基地局が無線リソース制御ＲＲＣシグナリングにより送信した第二の配置情報を受信することができ、当該第二の配置情報は、現在のＲＭＳＩのＣＯＲＥＳＥＴに対応する帯域幅部分をアクティブ帯域幅部分として配置するために用いられ、第二の配置情報からＩＥを解析し、当該ＩＥから第一の配置情報を解析する。
【００４４】
ステップＳ３０２においては、現在のＲＭＳＩのＣＯＲＥＳＥＴの位置及び第一の配置情報に基づき、現在のＲＭＳＩのＣＯＲＥＳＥＴに対応するＳＳＢの時間周波数位置を確定する。
【００４５】
当該実施例においては、ＵＥは、第一の配置情報を受信した後、現在のＲＭＳＩのＣＯＲＥＳＥＴの位置及び第一の配置情報に基づき、現在のＲＭＳＩのＣＯＲＥＳＥＴに対応するＳＳＢの時間周波数位置を確定することができる。
【００４６】
上述した実施例においては、第一の配置情報を受信し、現在のＲＭＳＩのＣＯＲＥＳＥＴの位置及び当該第一の配置情報に基づき、現在のＲＭＳＩのＣＯＲＥＳＥＴに対応するＳＳＢの時間周波数位置を確定することにより、後続においてレートマッチングを行う際にエラーが生じることを避けることができる。
【００４７】
図４は、本願の１つの例示する実施例による、もう１つの時間周波数位置の確定方法のフローチャート図である。図４に示すように、ステップＳ３０３の以降、当該方法は、さらにステップＳ３０３を含むことができる。
【００４８】
ステップＳ３０３においては、ＳＳＢの時間周波数位置に基づき、ランダムアクセスプロセスの中の下りデータとレートマッチングを行う。
【００４９】
当該実施例においては、ＳＳＢの時間周波数位置が確定された後、ランダムアクセスプロセスの中の下りデータとレートマッチングを行うことができ、正しくないＳＳＢの時間周波数位置を取得することにより生じたエラーを避けることができる。
【００５０】
上述した実施例においては、ＳＳＢの時間周波数位置に基づき、ランダムアクセスプロセスの中の下りデータとレートマッチングを行うことにより、レートマッチングを行う際にエラーが生じることを避けることができる。
【００５１】
図５は、本願の１つの例示する実施例による、もう１つの時間周波数位置の確定方法のフローチャート図である。図５に示すように、ステップＳ３０３の以降、当該方法は、ステップＳ３０４、ステップＳ３０５及びステップＳ３０６を更に含んでも良い。
【００５２】
ステップＳ３０４においては、ＳＳＢの時間周波数位置に基づき、ランダムアクセスプロセスの中の下りデータとレートマッチングを行う。
【００５３】
ステップＳ３０５においては、ＳＳＢを受信する。
【００５４】
ステップＳ３０６においては、受信したＳＳＢを基準波束（参照波束）とする。
【００５５】
当該実施例においては、ＳＳＢの時間周波数位置を確定した後、ランダムアクセスプロセスの中の下りデータとレートマッチングを行うことができると共に、当該ＳＳＢを受信し、当該ＳＳＢを基準波束とすることができる。
【００５６】
上述した実施例においては、ＳＳＢの時間周波数位置に基づき、ランダムアクセスプロセスの中の下りデータとレートマッチングを行い、ＳＳＢを受信することにより、ＵＥが受信したＳＳＢを基準波束とすることができる。よって、データを正しく転送するための環境を提供することができる。
【００５７】
図６は、本願の１つの例示する実施例による、１つの時間周波数位置の確定方法のシグナリングフローチャート図である。当該実施例においては、ＵＥと基地局のインタラクティブの角度から記載し、図６に示すように、当該方法は、ステップＳ６０１、ステップＳ６０２、ステップＳ６０３、ステップＳ６０４及びステップＳ６０５を含む。
【００５８】
ステップＳ６０１においては、基地局は、残存最小システム情報ＲＭＳＩの共通制御リソースセットＣＯＲＥＳＥＴに対応する同期ブロードキャストブロックＳＳＢの時間周波数位置を表すために用いられる第一の配置情報を生成する。
【００５９】
なお、ＳＳＢは、同期信号ブロック又は物理ブロードキャストチャネルブロックを意味する。
【００６０】
ステップＳ６０２においては、基地局は、ＵＥに第一の配置情報を送信する。
【００６１】
ステップＳ６０３においては、ＵＥは、基地局から送信された第一の配置情報を受信する。
【００６２】
ステップＳ６０４においては、ＵＥは、現在のＲＭＳＩのＣＯＲＥＳＥＴの位置及び第一の配置情報に基づき、現在のＲＭＳＩのＣＯＲＥＳＥＴに対応するＳＳＢの時間周波数位置を確定する。
【００６３】
ステップＳ６０５においては、ＵＥは、ＳＳＢの時間周波数位置に基づき、ランダムアクセスプロセスの中の下りデータとレートマッチングを行う。
【００６４】
上述した実施例においては、基地局とＵＥのインタラクティブにより、ＵＥが第一の配置情報を受信し、現在のＲＭＳＩのＣＯＲＥＳＥＴの位置及び当該第一の配置情報に基づき、現在のＲＭＳＩのＣＯＲＥＳＥＴに対応するＳＳＢの時間周波数位置を確定することにより、後続においてレートマッチングを行う際にエラーが生じることを避けることができる。
【００６５】
図７は、本願の１つの例示する実施例による、１つの情報配置装置のブロック図である。当該装置は、基地局の中に位置しても良い。図７に示すように、当該装置は、生成モジュール７１と送信モジュール７２とを含む。
【００６６】
生成モジュール７１は、残存最小システム情報ＲＭＳＩの共通制御リソースセットＣＯＲＥＳＥＴに対応する同期ブロードキャストブロックＳＳＢの時間周波数位置を表すために用いられる第一の配置情報を生成するように配置されている。
【００６７】
なお、ＳＳＢは、同期信号ブロック又は物理ブロードキャストチャネルブロックを意味する。
【００６８】
当該実施例においては、現在のＲＭＳＩのＣＯＲＥＳＥＴとＳＳＢの時間周波数位置の関係は、図１Ｂ、図１Ｃ及び図１Ｄに示すことができ、図１Ｂにおいて、現在のＲＭＳＩのＣＯＲＥＳＥＴ１１とＳＳＢ１２の帯域幅は、同一のＢＷＰに属し、時間領域が異なり、図１Ｃにおいて、現在のＲＭＳＩのＣＯＲＥＳＥＴ１１とＳＳＢ１２は、周波数分割多重に属し、時間領域が異なり、図１Ｄにおいて、現在のＲＭＳＩのＣＯＲＥＳＥＴ１１とＳＳＢ１２は、周波数分割多重に属し、時間領域が部分的に同じである。
【００６９】
当該実施例においては、第一の配置情報により現在のＲＭＳＩのＣＯＲＥＳＥＴに対応するＳＳＢの時間周波数位置を表すことができ、図１Ｂ〜図１Ｄは、三種類の時間周波数位置の関係を示しているので、第一の配置情報は、２ｂｉｔを占める必要があり、例えば、３つの符号点（００、０１、１０）により図１Ｂ〜図１Ｄに示されている三種類の時間周波数位置の関係を表すことができ、残った１つの符号点（１１）は、保留ビット又は拡張ビットとすることができる。
【００７０】
送信モジュール７２は、ユーザ端末ＵＥに生成モジュール７１により生成された第一の配置情報を送信するように配置されている。
【００７１】
上述した実施例においては、現在のＲＭＳＩのＣＯＲＥＳＥＴに対応するＳＳＢの時間周波数位置を表す第一の配置情報を生成してＵＥに送信することにより、ＳＳＢにフレキシブルな時間周波数位置を配置することができ、ＵＥが現在のＲＭＳＩのＣＯＲＥＳＥＴの位置及び受信した第一の配置情報に基づき、現在のＲＭＳＩのＣＯＲＥＳＥＴに対応するＳＳＢの時間周波数位置を確定することができる。
【００７２】
図８は、本願の１つの例示する実施例による、もう１つの情報配置装置のブロック図である。図８に示すように、前記図７に示される実施例をベースに、送信モジュール７２は、第一の付加サブモジュール７２１、第二の付加サブモジュール７２２及び送信サブモジュール７２３を含んでも良い。
【００７３】
第一の付加サブモジュール７２１は、第一の配信情報を情報要素ＩＥに付加するように配置されている。
【００７４】
なお、基地局は、第一の配置情報をあるＩＥに付加することができる。
【００７５】
第二の付加サブモジュール７２２は、第一の付加サブモジュール７２１により第一の配置情報が付加されたＩＥを、現在のＲＭＳＩのＣＯＲＥＳＥＴに対応する帯域幅部分をアクティブ帯域幅部分として配置するために用いられる第二の配置情報に付加するように配置されている。
【００７６】
送信サブモジュール７２３は、無線リソース制御ＲＲＣシグナリングにより、第二の付加サブモジュール７２２でＩＥが付加された第二の配置情報をＵＥに送信するように配置されている。
【００７７】
上述した実施例においては、第一の配置情報がＩＥの中に位置し、当該ＩＥが第二の配置情報の中に位置するので、ＲＲＣによりＵＥに第二の配置情報を送信すると、ＵＥに第一の配置情報を送信するという目的を達成することができ、実現方法が簡単である。
【００７８】
図９は、本願の１つの例示する実施例による、１つの時間周波数位置の確定装置のブロック図である。当該装置は、ＵＥの中に位置しても良く、図９に示すように、当該装置は、第一の受信モジュール９１と第一の確定モジュール９２とを含む。
【００７９】
第一の受信モジュール９１は、基地局から送信された、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を受信するように配置されている。
【００８０】
なお、ＵＥは、基地局が無線リソース制御ＲＲＣシグナリングにより送信した第二の配置情報を受信することができ、当該第二の配置情報は、現在のＲＭＳＩのＣＯＲＥＳＥＴに対応する帯域幅部分をアクティブ帯域幅部分として配置するように用いられ、第二の配置情報からＩＥを解析し、当該ＩＥから第一の配置情報を解析する。
【００８１】
第一の確定モジュール９２は、現在のＲＭＳＩのＣＯＲＥＳＥＴの位置及び第一の受信モジュール９１により受信された第一の配置情報に基づき、現在のＲＭＳＩのＣＯＲＥＳＥＴに対応するＳＳＢの時間周波数位置を確定するように配置されている。
【００８２】
当該実施例においては、ＵＥは、第一の配置情報を受信した後、現在のＲＭＳＩのＣＯＲＥＳＥＴの位置及び第一の配置情報に基づき、現在のＲＭＳＩのＣＯＲＥＳＥＴに対応するＳＳＢの時間周波数位置を確定することができる。
【００８３】
上述した実施例においては、第一の配置情報を受信し、現在のＲＭＳＩのＣＯＲＥＳＥＴの位置及び当該第一の配置情報に基づき、現在のＲＭＳＩのＣＯＲＥＳＥＴに対応するＳＳＢの時間周波数位置を確定することにより、後続においてレートマッチングを行う際にエラーが生じることを避けることができる。
【００８４】
図１０は、本願の１つの例示する実施例による、もう１つの時間周波数位置の確定装置のブロック図である。図１０に示すように、前記図９に示される実施例をベースに、当該装置は、レートマッチングモジュール９３を更に含む。
【００８５】
レートマッチングモジュール９３は、第一の確定モジュール９２が現在のＲＭＳＩのＣＯＲＥＳＥＴに対応するＳＳＢの時間周波数位置を確定した後、ＳＳＢの時間周波数位置に基づき、ランダムアクセスプロセスの中の下りデータとレートマッチングを行うように配置されている。
【００８６】
当該実施例においては、ＳＳＢの時間周波数位置を確定した後、ランダムアクセスプロセスの中の下りデータとレートマッチングを行うことができ、正しくないＳＳＢの時間周波数位置を取得することにより生じたエラーを避けることができる。
【００８７】
上述した実施例においては、ＳＳＢの時間周波数位置に基づき、ランダムアクセスプロセスの中の下りデータとレートマッチングを行うことにより、レートマッチングを行う際にエラーが生じることを避けることができる。
【００８８】
図１１は、本願の１つの例示する実施例による、もう１つの時間周波数位置の確定装置のブロック図である。図１１に示すように、前記図９に示される実施例をベースに、当該装置は、レートマッチングモジュール９４と、第二の受信モジュール９５と、第二の確定モジュール９６とを更に含む。
【００８９】
レートマッチングモジュール９４は、第一の確定モジュールが現在のＲＭＳＩのＣＯＲＥＳＥＴに対応するＳＳＢの時間周波数位置を確定した後、ＳＳＢの時間周波数位置に基づき、ランダムアクセスプロセスの中の下りデータとレートマッチングを行うように配置されている。
【００９０】
第二の受信モジュール９５は、レートマッチングモジュール９４がレートマッチングを行った後、ＳＳＢを受信するように配置されている。
【００９１】
第二の確定モジュール９６は、第二の受信モジュール９５が受信したＳＳＢを基準波束とするように配置されている。
【００９２】
当該実施例においては、ＳＳＢの時間周波数位置を確定した後、ランダムアクセスプロセスの中の下りデータとレートマッチングを行い、当該ＳＳＢを受信し、当該ＳＳＢを基準波束とすることができる。
【００９３】
上述した実施例においては、ＳＳＢの時間周波数位置に基づき、ランダムアクセスプロセスの中の下りデータとレートマッチングを行い、ＳＳＢを受信することにより、ＵＥは、受信したＳＳＢを基準波束とすることができる。よって、データを正しく転送するための環境を提供することができる。
【００９４】
図１２は、本願の１つの例示する実施例による、もう１つの時間周波数位置の確定装置のブロック図である。図１２に示すように、前記図９に示される実施例をベースに、第一の受信モジュール９１は、受信サブモジュール９１１と、第一の解析サブモジュール９１２と、第二の解析サブモジュール９１３とを含んでも良い。
【００９５】
受信サブモジュール９１１は、基地局が無線リソース制御ＲＲＣシグナリングにより送信した、現在のＲＭＳＩのＣＯＲＥＳＥＴに対応する帯域幅部分をアクティブ帯域幅部分として配置するために用いられる第二の配置情報を受信するように配置されている。
【００９６】
第一の解析サブモジュール９１２は、受信サブモジュール９１１により受信された第二の配置情報からＩＥを解析するように配置されている。
【００９７】
第二の解析サブモジュール９１３は、第一の解析サブモジュール９１２により解析されたＩＥから第一の配置情報を解析するように配置されている。
【００９８】
上述した実施例においては、第二の配置情報を受信し、第二の配置情報からＩＥを解析し、その後、当該ＩＥから第一の配置情報を解析するので、実現方法が簡単である。
【００９９】
図１３は、本願の１つの例示する実施例による、１つの情報配置装置に適するブロック図である。装置１３００は、基地局として提供することができる。図１３に示すように、装置１３００は、処理コンポーネント１３２２、無線発射／受信コンポーネント１３２４、アンテナコンポーネント１３２６及び無線インターフェースの特有の信号処理部分を含み、処理コンポーネント１３２２は、１つ又は複数のプロセッサを更に含んでも良い。
【０１００】
処理コンポーネント１３２２の中の１つのプロセッサは、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を生成し、ユーザ端末ＵＥに第一の配置情報を送信するように配置されても良い。
【０１０１】
例示する実施例においては、コマンドを含む非一時的コンピュータ読み取り可能な記憶媒体を更に提供する。前記コマンドは、装置１３００の処理コンポーネント１３２２により実行されることで、上述した情報配置方法を完成する。例えば、非一時的コンピュータ読み取り可能な記憶媒体は、ＲＯＭ、ランダムアクセスメモリ（ＲＡＭ）、ＣＤ−ＲＯＭ、磁気テープ、フロッピーディスク及び光学データ記憶装置等であっても良い。
【０１０２】
図１４は、本願の１つの例示する実施例による、１つの時間周波数位置の確定装置に適するブロック図である。例えば、装置１４００は、携帯電話、コンピュータ、デジタル放送端末、メッセージ送受信デバイス、ゲームコンソール、タブレットデバイス、医療設備、健康器具、パーソナルデジタルアシスタント等のユーザ端末であっても良い。
【０１０３】
図１４に示すように、装置１４００は、処理コンポーネント１４０２、メモリ１４０４、電源コンポーネント１４０６、マルチメディアコンポーネント１４０８、オーディオコンポーネント１４１０、入力／出力（Ｉ／Ｏ）のインターフェース１４１２、センサコンポーネント１４１４及び通信コンポーネント１４１６のうちの１つ又は複数のコンポーネントを含んでも良い。
【０１０４】
処理コンポーネント１４０２は、通常、装置１４００全体の操作を制御し、例えば、表示、電話コール、データ通信、カメラ操作及び記録操作に関連する操作である。処理コンポーネント１４０２は、上述した方法の全部又は一部のステップを完成するために、１つ又は複数のプロセッサ１４２０を含んでコマンドを実行することができる。また、処理コンポーネント１４０２は、他のコンポーネントとインタラクティブしやすくするために、１つ又は複数のモジュールを含んでも良い。例えば、処理コンポーネント１４０２は、マルチメディアコンポーネント１４０８とインタラクティブしやすくするために、マルチメディアモジュールを含んでも良い。
【０１０５】
処理コンポーネント１４０２の中の１つのプロセッサ１４２０は、基地局から送信された、現在の残存最小システム情報ＲＭＳＩの共通制御リソースセットＣＯＲＥＳＥＴに対応する同期ブロードキャストブロックＳＳＢの時間周波数位置を表すために用いられる第一の配置情報を受信し、現在のＲＭＳＩのＣＯＲＥＳＥＴの位置及び第一の配置情報に基づき、現在のＲＭＳＩのＣＯＲＥＳＥＴに対応するＳＳＢの時間周波数位置を確定するように配置されても良い。
【０１０６】
メモリ１４０４は、装置１４００の操作をサポートするために、様々なタイプのデータを記憶するように配置されている。これらのデータの例は、装置１４００の操作に用いられる任意のアプリケーションプログラム又は方法のコマンド、連絡先データ、電話帳データ、メッセージ、ピクチャー、ビデオ等を含む。メモリ１４０４は、任意のタイプの揮発性又は非揮発性記憶デバイス又はこれらの組み合わせにより実現することができ、例えば、スタティックランダムアクセスメモリ（ＳＲＡＭ）、電気的消去可能プログラマブルリードオンリーメモリ（ＥＥＰＲＯＭ）、消去可能プログラマブルリードオンリーメモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスク又は光ディスクである。
【０１０７】
電源コンポーネント１４０６は、装置１４００の様々なコンポーネントに電力を提供する。電源コンポーネント１４０６は、電源管理システム、１つ又は複数の電源、及び装置１４００のための電力の生成、管理及び配分に関連する他のコンポーネントを含んでも良い。
【０１０８】
マルチメディアコンポーネント１４０８は、装置１４００とユーザの間に１つの出力インターフェースを提供するスクリーンを含む。幾つかの実施例においては、スクリーンは、液晶ディスプレイ（ＬＣＤ）及びタッチパネル（ＴＰ）を含んでも良い。スクリーンは、タッチパネルを含むのであれば、スクリーンは、ユーザからの入力信号を受信するために、タッチスクリーンとして実現することができる。タッチパネルは、タッチ、スライド及びタッチパネル上のジェスチャーを感知するために、１つ又は複数のタッチセンサを含む。タッチセンサは、タッチ又はスライドの動作の境界を感知するだけではなく、タッチ又はスライドの操作に関する持続時間及び圧力も検出することができる。幾つかの実施例においては、マルチメディアコンポーネント１４０８は、１つの前置カメラ及び／又は後置カメラを含む。装置１４００が撮影モード又はビデオモードのような操作モードである場合、前置カメラ及び／又は後置カメラは、外部のマルチメディアデータを受信することができる。それぞれの前置カメラ及び後置カメラは、固定された１つの光学レンズ系であっても良く、又は、焦点距離及び光学ズーム機能を有しても良い。
【０１０９】
オーディオコンポーネント１４１０は、オーディオ信号を出力及び／又は入力するように配置されている。例えば、オーディオコンポーネント１４１０は、１つのマイク（ＭＩＣ）を含み、装置１４００がコールモード、記録モード及び音声認識モードのような操作モードである場合、マイクは、外部のオーディオ信号を受信するように配置されている。受信されたオーディオ信号は、メモリ１４０４に更に記憶しても良く、又は、通信コンポーネント１４１６により送信しても良い。幾つかの実施例においては、オーディオコンポーネント１４１０は、オーディオ信号を出力するためのスピーカーを更に含む。
【０１１０】
Ｉ／Ｏインターフェース１４１２は、処理コンポーネント１４０２と周辺インターフェースモジュールの間にインターフェースを提供し、前記周辺インターフェースモジュールは、キーボード、クリックホイール、ボタン等であっても良い。これらのボタンは、ホームボタン、音量ボタン、起動ボタン及びロックボタンを含んでも良いが、これらに限らない。
【０１１１】
センサコンポーネント１４１４は、装置１４００に様々な方面の状態の評価を提供するために、１つ又は複数のセンサを含む。例えば、センサコンポーネント１４１４は、装置１４００のオン／オフの状態、コンポーネントの相対的な位置決めを検出することができ、例えば、コンポーネントは、装置１４００のディスプレイ及び小さいキーボードであり、センサコンポーネント１４１４は、装置１４００又は装置１４００の１つのコンポーネントの位置の変化、ユーザと装置１４００の接触があるか否か、装置１４００の方位又は加速／減速及び装置１４００の温度の変化も検出することができる。センサコンポーネント１４１４は、如何なる物理的な接触もない時に、近くにある物体の存在を検出するように配置されている近接センサを含んでも良い。センサコンポーネント１４１４は、撮像応用において用いられる、ＣＭＯＳ又はＣＣＤ画像センサのような光センサを更に含んでも良い。幾つかの実施例においては、当該センサコンポーネント１４１４は、加速度センサ、ジャイロセンサ、磁気センサ、圧力センサ又は温度センサを更に含んでも良い。
【０１１２】
通信コンポーネント１４１６は、装置１４００とその他のデバイスの間の無線又は有線方式の通信をしやすくするように配置されている。装置１４００は、通信規格に基づく無線ネットワークにアクセスすることができ、例えば、ＷｉＦｉ、２Ｇ又は３Ｇ又はこれらの組み合わせである。一つの例示する実施例においては、通信コンポーネント１４１６は、ブロードキャストチャネルにより外部のブロードキャスト管理システムからのブロードキャスト信号又はブロードキャスト関連情報を受信する。一つの例示する実施例においては、通信コンポーネント１４１６は、短距離通信を促進するために、近距離無線通信（ＮＦＣ）モジュールを更に含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及びその他の技術に基づいて実現することができる。
【０１１３】
例示する実施例においては、装置１４００は、上述した方法を実行するために、１つ又は複数の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、コントローラ、マイクロコントローラ、マイクロプロセッサ又はその他の電子部品により実現することができる。
【０１１４】
例示する実施例においては、コマンドを含む非一時的コンピュータ読み取り可能な記憶媒体を更に提供し、例えば、コマンドを含むメモリ１４０４であり、前記コマンドは、装置１４００のプロセッサ１４２０により実行することにより、上述した方法を完成する。例えば、非一時的コンピュータ読み取り可能な記憶媒体は、ＲＯＭ、ランダムアクセスメモリ（ＲＡＭ）、ＣＤ―ＲＯＭ、磁気テープ、フロッピーディスク及び光学データ記憶装置であっても良い。
【０１１５】
装置の実施例については、方法の実施例に大体対応しているので、関連箇所は、方法の実施例の部分に関する説明を参考すれば良い。以上の記述された装置の実施例は、例示的に過ぎず、その中の個別の部材として説明したユニットは、物理的に分離されても良く、物理的に分離されなくても良く、ユニットして表示される部材は、物理的なユニットであっても良く、物理的なユニットではなくても良く、言い換えれば、一か所に位置しても良く、複数のネットワークユニットに分布しても良い。実際のニーズに応じてその中の一部又は全部のモジュールを選択して本実施例の技術案の目的を実現することができる。当業者は、創造性のある労働を必要せずに理解して実現することができる。
【０１１６】
なお、本文においては、第一及び第二等のような関係用語は、ただ１つの実体（エンティティ）又は操作ともう１つの実体又は操作を区別するために用いられ、必ずしもこれらの実体又は操作の間に如何なる実際の関係又は順番が存在することを求める又は暗示するものではない。用語「含む」、「有する」又はその任意の他の変形は、非排他性の含みをカバーすることを意味するので、一連の要素を含むプロセス、方法、物品又はデバイスは、それらの要素を含むだけではなく、列挙されていない他の要素も含み、又は、これらのプロセス、方法、物品又はデバイスの固有の要素も含む。更なる制限がない限り、語句「１つ……を含む」によって限定される要素は、前記要素を含むプロセス、方法、物品又はデバイスに、他の同じ要素も存在することを排除しない。
【０１１７】
当業者は、明細書を考慮し、ここで開示された内容を実施した後、本開示の他の実施案を容易に想到することができる。本願は、本開示の任意の変形、用途又は適切な変化を含むことを目的とし、これらの変形、用途又は適切な変化は、本開示の一般的な原理に従い、本願において開示されていない当該技術分野の周知の常識又は慣用技術的手段を含む。明細書及び実施例は、例示的なものと見なされ、本開示の本当の範囲及び精神は、特許請求の範囲により決められる。
【０１１８】
本開示は、上述において記載され、図面に示されている正確な構造に限らず、その範囲から逸脱しないかぎり、様々な修正及び変更を行うことができることを理解すべきである。本開示の範囲は、付属する特許請求の範囲のみにより制限される。
【図１Ａ】
2021511758.tif 000003
【図１Ｂ】
2021511758.tif 000004
【図１Ｃ】
2021511758.tif 000005
【図１Ｄ】
2021511758.tif 000006
【図２】
2021511758.tif 000007
【図３】
2021511758.tif 000008
【図４】
2021511758.tif 000009
【図５】
2021511758.tif 000010
【図６】
2021511758.tif 000011
【図７】
2021511758.tif 000012
【図８】
2021511758.tif 000013
【図９】
2021511758.tif 000014
【図１０】
2021511758.tif 000015
【図１１】
2021511758.tif 000016
【図１２】
2021511758.tif 000017
【図１３】
2021511758.tif 000018
【図１４】
2021511758.tif 000019
【手続補正書】
【提出日】令和2年8月5日(2020.8.5)
【手続補正１】
【補正対象書類名】明細書
【補正対象項目名】全文
【補正方法】変更
【補正の内容】
【発明の詳細な説明】
【技術分野】
【０００１】
本願は、通信技術分野に関し、特に、情報配置方法及び装置と、時間周波数位置の確定方法及び装置と、基地局と、ユーザ端末と、コンピュータ読み取り可能な記憶媒体とに関する。
【背景技術】
【０００２】
無線通信技術の急速な発展に伴い、第五世代移動通信システム（５ｔｈ  Ｇｅｎｅｒａｔｉｏｎ、５Ｇと略称される）が登場した。最近の第三世代パートナーシッププロジェクト（３ｒｄ  Ｇｅｎｅｒａｔｉｏｎ  Ｐａｒｔｎｅｒｓｈｉｉｐ  Ｐｒｏｊｅｃｔ、３ＧＰＰと略称される）に関する討論では、ユーザ端末（ＵＥ）に配置されているアクティブ帯域幅が初期探索の初期アクセス帯域幅ではない場合、基地局（ｇＮＢ）は、ＵＥに他の残存最小システム情報（ＲＭＳＩ）を受信するための共通制御リソースセット（Ｃｏｎｔｒｏｌ  ｒｅｓｏｕｒｃｅ  ｓｅｔ、ＣＯＲＥＳＥＴと略称される）を配置することができることが承認された。しかしながら、ＵＥに新たなＣＯＲＥＳＥＴが配置された後、すぐにＲＭＳＩを受信し、ランダムアクセスを行う必要が生じる可能性がある。ところで、このような場合、レートマッチングを行う必要があり、即ち、ＵＥは、同期信号ブロック（ＳＳＢ）の周波数領域及び時間領域位置を把握する必要がある。関連技術においては、全ての帯域幅部分（ＢＷＰ）におけるＳＳＢ及びＲＭＳＩのＣＯＲＥＳＥＴの時間領域位置が固定位置であると規定されているが、これによりフレキシビリティが制限されてしまう。
【発明の概要】
【発明が解決しようとする課題】
【０００３】
上記内容に鑑み、本願は、情報配置方法及び装置と、時間周波数位置の確定方法及び装置と、基地局と、ユーザ端末と、コンピュータ読み取り可能な記憶媒体とを提供することにより、ＳＳＢにフレキシブルな時間周波数位置を配置し、ＵＥがＳＳＢの時間周波数位置を確定することができることを実現する。
【課題を解決するための手段】
【０００４】
本願の実施例の第一の側面により、現在の残存最小システム情報ＲＭＳＩの共通制御リソースセットＣＯＲＥＳＥＴに対応する同期信号ブロックＳＳＢの時間周波数位置を表すために用いられる第一の配置情報を生成することと、ユーザ端末ＵＥに前記第一の配置情報を送信することとを含む、基地局に用いられる情報配置方法を提供する。
【０００５】
一つの実施例においては、ＵＥに前記第一の配置情報を送信することは、前記第一の配置情報を情報要素ＩＥに付加することと、前記ＩＥを、前記現在のＲＭＳＩのＣＯＲＥＳＥＴに対応する帯域幅部分をアクティブ帯域幅部分として配置するために用いられる第二の配置情報に付加することと、無線リソース制御ＲＲＣシグナリングにより前記ＵＥに前記第二の配置情報を送信することとを含む。
【０００６】
本願の実施例の第二の側面により、基地局から送信された、現在の残存最小システム情報ＲＭＳＩの共通制御リソースセットＣＯＲＥＳＥＴに対応する同期信号ブロックＳＳＢの時間周波数位置を表すために用いられる第一の配置情報を受信することと、現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定すると、を含む、ユーザ端末ＵＥに用いられる時間周波数位置の確定方法を提供する。
【０００７】
一つの実施例においては、前記方法は、現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うことを更に含む。
【０００８】
一つの実施例においては、前記方法は、現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うことと、前記ＳＳＢを受信することと、受信した前記ＳＳＢを基準波束とすることと、を更に含む。
【０００９】
一つの実施例においては、基地局から送信された第一の配置情報を受信することは、前記基地局が無線リソース制御ＲＲＣシグナリングにより送信した、前記現在のＲＭＳＩのＣＯＲＥＳＥＴに対応する帯域幅部分をアクティブ帯域幅部分として配置するために用いられる第二の配置情報を受信することと、前記第二の配置情報の中から情報要素ＩＥを解析することと、前記ＩＥの中から前記第一の配置情報を解析することと、を含む。
【００１０】
本願の実施例の第三の側面により、現在の残存最小システム情報ＲＭＳＩの共通制御リソースセットＣＯＲＥＳＥＴに対応する同期信号ブロックＳＳＢの時間周波数位置を表すために用いられる第一の配置情報を生成するように配置されている生成モジュールと、ユーザ端末ＵＥに前記生成モジュールにより生成された前記第一の配置情報を送信するように配置されている送信モジュールとを含む、基地局に用いられる情報配置装置を提供する。
【００１１】
一つの実施例においては、前記送信モジュールは、前記第一の配置情報を情報要素ＩＥに付加するように配置されている第一の付加サブモジュールと、前記第一の付加サブモジュールにより前記第一の配置情報が付加された前記ＩＥを、前記現在のＲＭＳＩのＣＯＲＥＳＥＴに対応する帯域幅部分をアクティブ帯域幅部分として配置するために用いられる第二の配置情報に付加する第二の付加サブモジュールと、無線リソース制御ＲＲＣシグナリングにより、前記第二の付加サブモジュールで前記ＩＥが付加された前記第二の配置情報を前記ＵＥに送信するように配置されている送信サブモジュールと、を含む。
【００１２】
本願の実施例の第四の側面により、基地局から送信された、現在の残存最小システム情報ＲＭＳＩの共通制御リソースセットＣＯＲＥＳＥＴに対応する同期信号ブロックＳＳＢの時間周波数位置を表すために用いられる第一の配置情報を受信するように配置されている第一の受信モジュールと、現在のＲＭＳＩのＣＯＲＥＳＥＴの位置及び前記第一の受信モジュールにより受信された前記第一の配置情報に基づき、前記現在のＲＭＳＩのＣＯＲＥＳＥＴに対応する前記ＳＳＢの時間周波数位置を確定するように配置されている第一の確定モジュールと、を含む、ユーザ端末ＵＥに用いられる時間周波数位置の確定装置を提供する。
【００１３】
一つの実施例においては、前記装置は、前記第一の確定モジュールにより前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うように配置されているレートマッチングモジュールを更に含む。
【００１４】
一つの実施例においては、前記装置は、前記第一の確定モジュールにより前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うように配置されているレートマッチングモジュールと、前記レートマッチングモジュールによりレートマッチングを行った後、前記ＳＳＢを受信するように配置されている第二の受信モジュールと、前記第二の受信モジュールにより受信された前記ＳＳＢを基準波束とするように配置されている第二の確定モジュールと、を更に含む。
【００１５】
一つの実施例においては、前記第一の受信モジュールは、前記基地局が無線リソース制御ＲＲＣシグナリングにより送信した、前記現在のＲＭＳＩのＣＯＲＥＳＥＴに対応する帯域幅部分をアクティブ帯域幅部分として配置するために用いられる第二の配置情報を受信するように配置されている受信サブモジュールと、前記受信サブモジュールにより受信された前記第二の配置情報から情報要素ＩＥを解析するように配置されている第一の解析サブモジュールと、前記第一の解析サブモジュールにより解析された前記ＩＥから前記第一の配置情報を解析するように配置されている第二の解析サブモジュールと、を含む。
【００１６】
本願の実施例の第五の側面により、プロセッサと、プロセッサにより実行可能なコマンドを記憶するためのメモリとを含む基地局を提供する。
【００１７】
前記プロセッサは、現在の残存最小システム情報ＲＭＳＩの共通制御リソースセットＣＯＲＥＳＥＴに対応する同期信号ブロックＳＳＢの時間周波数位置を表すために用いられる第一の配置情報を生成し、ユーザ端末ＵＥに前記第一の配置情報を送信するように配置されている。
【００１８】
本願の実施例の第六の側面により、プロセッサと、プロセッサにより実行可能なコマンドを記憶するためのメモリとを含むユーザ端末を提供する。
【００１９】
前記プロセッサは、基地局から送信された、現在の残存最小システム情報ＲＭＳＩの共通制御リソースセットＣＯＲＥＳＥＴに対応する同期信号ブロックＳＳＢの時間周波数位置を表すために用いられる第一の配置情報を受信し、現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定するように配置されている。
【００２０】
本願の実施例の第七の側面により、プロセッサにより実行される場合、前記情報配置方法のステップを実現するコンピュータコマンドを記憶するコンピュータ読み取り可能な記憶媒体を提供する。
【００２１】
本願の実施例の第八の側面により、プロセッサにより実行される場合、前記時間周波数位置の確定方法のステップを実現するコンピュータコマンドを記憶するコンピュータ読み取り可能な記憶媒体を提供する。
【発明の効果】
【００２２】
本願の実施例により提供される技術案は、以下の有益な効果を含むことができる。
【００２３】
現在のＲＭＳＩのＣＯＲＥＳＥＴに対応するＳＳＢの時間周波数位置を表す第一の配置情報を生成してＵＥに送信することにより、ＳＳＢにフレキシブルな時間周波数位置を配置することができ、ＵＥが現在のＲＭＳＩのＣＯＲＥＳＥＴの位置及び受信された第一の配置情報に基づき、現在のＲＭＳＩのＣＯＲＥＳＥＴに対応するＳＳＢの時間周波数位置を確定することができる。
【００２４】
第一の配置情報を受信し、現在のＲＭＳＩのＣＯＲＥＳＥＴの位置及び当該第一の配置情報に基づき、現在のＲＭＳＩのＣＯＲＥＳＥＴに対応するＳＳＢの時間周波数位置を確定することにより、後続においてレートマッチングを行う際にエラーが生じることを避けることができる。
【００２５】
上述した一般的な記述及び後述の細部に関する記述は、例示及び説明のためのものに過ぎず、本願を制限するものではないと理解されたい。
【図面の簡単な説明】
【００２６】
ここの図面は、明細書に加えられており、本明細書の一部を構成し、本発明に好ましい実施例を示し、明細書と共に本発明の原理を解釈するために用いられる。
【図１Ａ】本願の１つの例示する実施例による情報配置方法のフローチャート図である。
【図１Ｂ】本願の１つの例示する実施例による、現在のＲＭＳＩのＣＯＲＥＳＥＴとＳＳＢの時間周波数位置の関係の模式図１である。
【図１Ｃ】本願の１つの例示する実施例による、現在のＲＭＳＩのＣＯＲＥＳＥＴとＳＳＢの時間周波数位置の関係の模式図２である。
【図１Ｄ】本願の１つの例示する実施例による、現在のＲＭＳＩのＣＯＲＥＳＥＴとＳＳＢの時間周波数位置の関係の模式図３である。
【図２】本願の１つの例示する実施例による、ＵＥに第一の配置情報を送信するフローチャート図である。
【図３】本願の１つの例示する実施例による、１つの時間周波数位置の確定方法のフローチャート図である。
【図４】本願の１つの例示する実施例による、もう１つの時間周波数位置の確定方法のフローチャート図である。
【図５】本願の１つの例示する実施例による、もう１つの時間周波数位置の確定方法のフローチャート図である。
【図６】本願の１つの例示する実施例による、１つの時間周波数位置の確定方法のシグナリングフローチャート図である。
【図７】本願の１つの例示する実施例による、１つの情報配置装置のブロック図である。
【図８】本願の１つの例示する実施例による、もう１つの情報配置装置のブロック図である。
【図９】本願の１つの例示する実施例による、１つの時間周波数位置の確定装置のブロック図である。
【図１０】本願の１つの例示する実施例による、もう１つの時間周波数位置の確定装置のブロック図である。
【図１１】本願の１つの例示する実施例による、もう１つの時間周波数位置の確定装置のブロック図である。
【図１２】本願の１つの例示する実施例による、もう１つの時間周波数位置の確定装置のブロック図である。
【図１３】本願の１つの例示する実施例による、１つの情報配置装置に適するブロック図である。
【図１４】本願の１つの例示する実施例による、１つの時間周波数位置の確定装置に適するブロック図である。
【発明を実施するための形態】
【００２７】
ここでは、図面に示されている、例示する実施例を詳しく説明する。以下の記述が図面に係る際に、特に説明がない限り、異なる図面の中の同じ数字は、同じ又は類似する要素を表す。以下の例示する実施例において記載されている実施形態は、本発明と一致する全ての実施形態を代表するわけではない。逆に、これらは、特許請求の範囲に記載されている、本発明の幾つかの面と一致する装置及び方法の例に過ぎない。
【００２８】
図１Ａは、本願の１つの例示する実施例による情報配置方法のフローチャート図であり、当該実施例は、基地局側から記述し、図１Ａに示すように、当該情報配置方法は、ステップＳ１０１及びステップＳ１０２を含む。
【００２９】
ステップＳ１０１においては、現在のＲＭＳＩのＣＯＲＥＳＥＴに対応するＳＳＢの時間周波数位置を表すために用いられる第一の配置情報を生成する。
【００３０】
なお、ＳＳＢは、同期信号ブロック又は物理ブロードキャストチャネルブロックを意味する。
【００３１】
当該実施例においては、現在のＲＭＳＩのＣＯＲＥＳＥＴとＳＳＢの時間周波数位置の関係は、図１Ｂ、図１Ｃ及び図１Ｄに示すことができ、なお、ｔは、時間を表し、ｆは、周波数を表し、図１Ｂにおいて、現在のＲＭＳＩのＣＯＲＥＳＥＴ１１及びＳＳＢ１２の帯域幅は、同一のＢＷＰに属し、時間領域が異なり、図１Ｃにおいて、現在のＲＭＳＩのＣＯＲＥＳＥＴ１１とＳＳＢ１２は、周波数分割多重に属し、時間領域が異なり、図１Ｄにおいて、現在のＲＭＳＩのＣＯＲＥＳＥＴ１１とＳＳＢ１２は、周波数分割多重に属し、時間領域が部分的に同じである。
【００３２】
当該実施例においては、第一の配置情報により現在のＲＭＳＩのＣＯＲＥＳＥＴに対応するＳＳＢの時間周波数位置を表すことができ、図１Ｂ〜図１Ｄは、三種類の時間周波数位置の関係を示しているので、第一の配置情報は、２ｂｉｔを占める必要があり、例えば、３つの符号点（００、０１、１０）により図１Ｂ〜図１Ｄに示されている三種類の時間周波数位置の関係を表すことができ、残った１つの符号点（１１）は、保留ビット又は拡張ビットとすることができる。
【００３３】
ステップＳ１０２においては、ＵＥに第一の配置情報を送信する。
【００３４】
図２に示すように、ＵＥに第一の配置情報を送信することは、ステップＳ２０１、ステップＳ２０２及びステップＳ２０３を含むことができる。
【００３５】
ステップＳ２０１においては、第一の配置情報を情報要素（ＩＥ）に付加する。
【００３６】
なお、ＩＥは、１つのデータ構造であり、情報を積載するために用いられ、例えば、第一の配置情報を積載するために用いられることができる。基地局は、第一の配置情報を所定ＩＥに付加することができる。当該所定ＩＥは、第一の配置情報を積載することが可能なＩＥを意味する。
【００３７】
ステップＳ２０２においては、当該ＩＥを、現在のＲＭＳＩのＣＯＲＥＳＥＴに対応する帯域幅部分をアクティブ帯域幅部分（ａｃｔｉｖｅ  ＢＷＰ）として配置するために用いられる第二の配置情報に付加する。
【００３８】
ステップＳ２０３においては、無線リソース制御（ＲＲＣ）シグナリングによりＵＥに第二の配置情報を送信する。
【００３９】
第一の配置情報がＩＥの中に位置し、当該ＩＥが第二の配置情報の中に位置するので、ＲＲＣシグナリングによりＵＥに第二の配置情報を送信すると、ＵＥに第一の配置情報を送信するという目的を達成することができ、実現方法が簡単である。
【００４０】
上述した実施例においては、現在のＲＭＳＩのＣＯＲＥＳＥＴに対応するＳＳＢの時間周波数位置を表す第一の配置情報を生成してＵＥに送信することにより、ＳＳＢにフレキシブルな時間周波数位置を配置することができ、ＵＥが現在のＲＭＳＩのＣＯＲＥＳＥＴの位置及び受信した第一の配置情報に基づき、現在のＲＭＳＩのＣＯＲＥＳＥＴに対応するＳＳＢの時間周波数位置を確定することができる。
【００４１】
図３は、本願の１つの例示する実施例による、１つの時間周波数位置の確定方法のフローチャート図である。当該実施例は、ＵＥ側から記述し、図３に示すように、当該方法は、ステップＳ３０１及びステップＳ３０２を含む。
【００４２】
ステップＳ３０１においては、基地局から送信された、現在のＲＭＳＩのＣＯＲＥＳＥＴに対応するＳＳＢの時間周波数位置を表すために用いられる第一の配置情報を受信する。
【００４３】
なお、ＵＥは、基地局が無線リソース制御ＲＲＣシグナリングにより送信した第二の配置情報を受信することができ、当該第二の配置情報は、現在のＲＭＳＩのＣＯＲＥＳＥＴに対応する帯域幅部分をアクティブ帯域幅部分として配置するために用いられ、第二の配置情報からＩＥを解析し、当該ＩＥから第一の配置情報を解析する。
【００４４】
ステップＳ３０２においては、現在のＲＭＳＩのＣＯＲＥＳＥＴの位置及び第一の配置情報に基づき、現在のＲＭＳＩのＣＯＲＥＳＥＴに対応するＳＳＢの時間周波数位置を確定する。
【００４５】
当該実施例においては、ＵＥは、第一の配置情報を受信した後、現在のＲＭＳＩのＣＯＲＥＳＥＴの位置及び第一の配置情報に基づき、現在のＲＭＳＩのＣＯＲＥＳＥＴに対応するＳＳＢの時間周波数位置を確定することができる。
【００４６】
上述した実施例においては、第一の配置情報を受信し、現在のＲＭＳＩのＣＯＲＥＳＥＴの位置及び当該第一の配置情報に基づき、現在のＲＭＳＩのＣＯＲＥＳＥＴに対応するＳＳＢの時間周波数位置を確定することにより、後続においてレートマッチングを行う際にエラーが生じることを避けることができる。
【００４７】
図４は、本願の１つの例示する実施例による、もう１つの時間周波数位置の確定方法のフローチャート図である。図４に示すように、ステップＳ３０２の以降、当該方法は、さらにステップＳ３０３を含むことができる。
【００４８】
ステップＳ３０３においては、ＳＳＢの時間周波数位置に基づき、ランダムアクセスプロセスの中の下りデータとレートマッチングを行う。
【００４９】
当該実施例においては、ＳＳＢの時間周波数位置が確定された後、ランダムアクセスプロセスの中の下りデータとレートマッチングを行うことができ、正しくないＳＳＢの時間周波数位置を取得することにより生じたエラーを避けることができる。
【００５０】
上述した実施例においては、ＳＳＢの時間周波数位置に基づき、ランダムアクセスプロセスの中の下りデータとレートマッチングを行うことにより、レートマッチングを行う際にエラーが生じることを避けることができる。
【００５１】
図５は、本願の１つの例示する実施例による、もう１つの時間周波数位置の確定方法のフローチャート図である。図５に示すように、ステップＳ３０２の以降、当該方法は、ステップＳ３０４、ステップＳ３０５及びステップＳ３０６を更に含んでも良い。
【００５２】
ステップＳ３０４においては、ＳＳＢの時間周波数位置に基づき、ランダムアクセスプロセスの中の下りデータとレートマッチングを行う。
【００５３】
ステップＳ３０５においては、ＳＳＢを受信する。
【００５４】
ステップＳ３０６においては、受信したＳＳＢを基準波束（参照波束）とする。
【００５５】
当該実施例においては、ＳＳＢの時間周波数位置を確定した後、ランダムアクセスプロセスの中の下りデータとレートマッチングを行うことができると共に、当該ＳＳＢを受信し、当該ＳＳＢを基準波束とすることができる。
【００５６】
上述した実施例においては、ＳＳＢの時間周波数位置に基づき、ランダムアクセスプロセスの中の下りデータとレートマッチングを行い、ＳＳＢを受信することにより、ＵＥが受信したＳＳＢを基準波束とすることができる。よって、データを正しく転送するための環境を提供することができる。
【００５７】
図６は、本願の１つの例示する実施例による、１つの時間周波数位置の確定方法のシグナリングフローチャート図である。当該実施例においては、ＵＥと基地局のインタラクティブの角度から記載し、図６に示すように、当該方法は、ステップＳ６０１、ステップＳ６０２、ステップＳ６０３、ステップＳ６０４及びステップＳ６０５を含む。
【００５８】
ステップＳ６０１においては、基地局は、残存最小システム情報ＲＭＳＩの共通制御リソースセットＣＯＲＥＳＥＴに対応する同期信号ブロックＳＳＢの時間周波数位置を表すために用いられる第一の配置情報を生成する。
【００５９】
なお、ＳＳＢは、同期信号ブロック又は物理ブロードキャストチャネルブロックを意味する。
【００６０】
ステップＳ６０２においては、基地局は、ＵＥに第一の配置情報を送信する。
【００６１】
ステップＳ６０３においては、ＵＥは、基地局から送信された第一の配置情報を受信する。
【００６２】
ステップＳ６０４においては、ＵＥは、現在のＲＭＳＩのＣＯＲＥＳＥＴの位置及び第一の配置情報に基づき、現在のＲＭＳＩのＣＯＲＥＳＥＴに対応するＳＳＢの時間周波数位置を確定する。
【００６３】
ステップＳ６０５においては、ＵＥは、ＳＳＢの時間周波数位置に基づき、ランダムアクセスプロセスの中の下りデータとレートマッチングを行う。
【００６４】
上述した実施例においては、基地局とＵＥのインタラクティブにより、ＵＥが第一の配置情報を受信し、現在のＲＭＳＩのＣＯＲＥＳＥＴの位置及び当該第一の配置情報に基づき、現在のＲＭＳＩのＣＯＲＥＳＥＴに対応するＳＳＢの時間周波数位置を確定することにより、後続においてレートマッチングを行う際にエラーが生じることを避けることができる。
【００６５】
図７は、本願の１つの例示する実施例による、１つの情報配置装置のブロック図である。当該装置は、基地局の中に位置しても良い。図７に示すように、当該装置は、生成モジュール７１と送信モジュール７２とを含む。
【００６６】
生成モジュール７１は、残存最小システム情報ＲＭＳＩの共通制御リソースセットＣＯＲＥＳＥＴに対応する同期信号ブロックＳＳＢの時間周波数位置を表すために用いられる第一の配置情報を生成するように配置されている。
【００６７】
なお、ＳＳＢは、同期信号ブロック又は物理ブロードキャストチャネルブロックを意味する。
【００６８】
当該実施例においては、現在のＲＭＳＩのＣＯＲＥＳＥＴとＳＳＢの時間周波数位置の関係は、図１Ｂ、図１Ｃ及び図１Ｄに示すことができ、図１Ｂにおいて、現在のＲＭＳＩのＣＯＲＥＳＥＴ１１とＳＳＢ１２の帯域幅は、同一のＢＷＰに属し、時間領域が異なり、図１Ｃにおいて、現在のＲＭＳＩのＣＯＲＥＳＥＴ１１とＳＳＢ１２は、周波数分割多重に属し、時間領域が異なり、図１Ｄにおいて、現在のＲＭＳＩのＣＯＲＥＳＥＴ１１とＳＳＢ１２は、周波数分割多重に属し、時間領域が部分的に同じである。
【００６９】
当該実施例においては、第一の配置情報により現在のＲＭＳＩのＣＯＲＥＳＥＴに対応するＳＳＢの時間周波数位置を表すことができ、図１Ｂ〜図１Ｄは、三種類の時間周波数位置の関係を示しているので、第一の配置情報は、２ｂｉｔを占める必要があり、例えば、３つの符号点（００、０１、１０）により図１Ｂ〜図１Ｄに示されている三種類の時間周波数位置の関係を表すことができ、残った１つの符号点（１１）は、保留ビット又は拡張ビットとすることができる。
【００７０】
送信モジュール７２は、ユーザ端末ＵＥに生成モジュール７１により生成された第一の配置情報を送信するように配置されている。
【００７１】
上述した実施例においては、現在のＲＭＳＩのＣＯＲＥＳＥＴに対応するＳＳＢの時間周波数位置を表す第一の配置情報を生成してＵＥに送信することにより、ＳＳＢにフレキシブルな時間周波数位置を配置することができ、ＵＥが現在のＲＭＳＩのＣＯＲＥＳＥＴの位置及び受信した第一の配置情報に基づき、現在のＲＭＳＩのＣＯＲＥＳＥＴに対応するＳＳＢの時間周波数位置を確定することができる。
【００７２】
図８は、本願の１つの例示する実施例による、もう１つの情報配置装置のブロック図である。図８に示すように、前記図７に示される実施例をベースに、送信モジュール７２は、第一の付加サブモジュール７２１、第二の付加サブモジュール７２２及び送信サブモジュール７２３を含んでも良い。
【００７３】
第一の付加サブモジュール７２１は、第一の配信情報を情報要素ＩＥに付加するように配置されている。
【００７４】
なお、基地局は、第一の配置情報をあるＩＥに付加することができる。
【００７５】
第二の付加サブモジュール７２２は、第一の付加サブモジュール７２１により第一の配置情報が付加されたＩＥを、現在のＲＭＳＩのＣＯＲＥＳＥＴに対応する帯域幅部分をアクティブ帯域幅部分として配置するために用いられる第二の配置情報に付加するように配置されている。
【００７６】
送信サブモジュール７２３は、無線リソース制御ＲＲＣシグナリングにより、第二の付加サブモジュール７２２でＩＥが付加された第二の配置情報をＵＥに送信するように配置されている。
【００７７】
上述した実施例においては、第一の配置情報がＩＥの中に位置し、当該ＩＥが第二の配置情報の中に位置するので、ＲＲＣシグナリングによりＵＥに第二の配置情報を送信すると、ＵＥに第一の配置情報を送信するという目的を達成することができ、実現方法が簡単である。
【００７８】
図９は、本願の１つの例示する実施例による、１つの時間周波数位置の確定装置のブロック図である。当該装置は、ＵＥの中に位置しても良く、図９に示すように、当該装置は、第一の受信モジュール９１と第一の確定モジュール９２とを含む。
【００７９】
第一の受信モジュール９１は、基地局から送信された、現在の残存最小システム情報ＲＭＳＩの共通制御リソースセットＣＯＲＥＳＥＴに対応する同期信号ブロックＳＳＢの時間周波数位置を表すために用いられる第一の配置情報を受信するように配置されている。
【００８０】
なお、ＵＥは、基地局が無線リソース制御ＲＲＣシグナリングにより送信した第二の配置情報を受信することができ、当該第二の配置情報は、現在のＲＭＳＩのＣＯＲＥＳＥＴに対応する帯域幅部分をアクティブ帯域幅部分として配置するように用いられ、第二の配置情報からＩＥを解析し、当該ＩＥから第一の配置情報を解析する。
【００８１】
第一の確定モジュール９２は、現在のＲＭＳＩのＣＯＲＥＳＥＴの位置及び第一の受信モジュール９１により受信された第一の配置情報に基づき、現在のＲＭＳＩのＣＯＲＥＳＥＴに対応するＳＳＢの時間周波数位置を確定するように配置されている。
【００８２】
当該実施例においては、ＵＥは、第一の配置情報を受信した後、現在のＲＭＳＩのＣＯＲＥＳＥＴの位置及び第一の配置情報に基づき、現在のＲＭＳＩのＣＯＲＥＳＥＴに対応するＳＳＢの時間周波数位置を確定することができる。
【００８３】
上述した実施例においては、第一の配置情報を受信し、現在のＲＭＳＩのＣＯＲＥＳＥＴの位置及び当該第一の配置情報に基づき、現在のＲＭＳＩのＣＯＲＥＳＥＴに対応するＳＳＢの時間周波数位置を確定することにより、後続においてレートマッチングを行う際にエラーが生じることを避けることができる。
【００８４】
図１０は、本願の１つの例示する実施例による、もう１つの時間周波数位置の確定装置のブロック図である。図１０に示すように、前記図９に示される実施例をベースに、当該装置は、レートマッチングモジュール９３を更に含む。
【００８５】
レートマッチングモジュール９３は、第一の確定モジュール９２が現在のＲＭＳＩのＣＯＲＥＳＥＴに対応するＳＳＢの時間周波数位置を確定した後、ＳＳＢの時間周波数位置に基づき、ランダムアクセスプロセスの中の下りデータとレートマッチングを行うように配置されている。
【００８６】
当該実施例においては、ＳＳＢの時間周波数位置を確定した後、ランダムアクセスプロセスの中の下りデータとレートマッチングを行うことができ、正しくないＳＳＢの時間周波数位置を取得することにより生じたエラーを避けることができる。
【００８７】
上述した実施例においては、ＳＳＢの時間周波数位置に基づき、ランダムアクセスプロセスの中の下りデータとレートマッチングを行うことにより、レートマッチングを行う際にエラーが生じることを避けることができる。
【００８８】
図１１は、本願の１つの例示する実施例による、もう１つの時間周波数位置の確定装置のブロック図である。図１１に示すように、前記図９に示される実施例をベースに、当該装置は、レートマッチングモジュール９４と、第二の受信モジュール９５と、第二の確定モジュール９６とを更に含む。
【００８９】
レートマッチングモジュール９４は、第一の確定モジュール９２が現在のＲＭＳＩのＣＯＲＥＳＥＴに対応するＳＳＢの時間周波数位置を確定した後、ＳＳＢの時間周波数位置に基づき、ランダムアクセスプロセスの中の下りデータとレートマッチングを行うように配置されている。
【００９０】
第二の受信モジュール９５は、レートマッチングモジュール９４がレートマッチングを行った後、ＳＳＢを受信するように配置されている。
【００９１】
第二の確定モジュール９６は、第二の受信モジュール９５が受信したＳＳＢを基準波束とするように配置されている。
【００９２】
当該実施例においては、ＳＳＢの時間周波数位置を確定した後、ランダムアクセスプロセスの中の下りデータとレートマッチングを行い、当該ＳＳＢを受信し、当該ＳＳＢを基準波束とすることができる。
【００９３】
上述した実施例においては、ＳＳＢの時間周波数位置に基づき、ランダムアクセスプロセスの中の下りデータとレートマッチングを行い、ＳＳＢを受信することにより、ＵＥは、受信したＳＳＢを基準波束とすることができる。よって、データを正しく転送するための環境を提供することができる。
【００９４】
図１２は、本願の１つの例示する実施例による、もう１つの時間周波数位置の確定装置のブロック図である。図１２に示すように、前記図９に示される実施例をベースに、第一の受信モジュール９１は、受信サブモジュール９１１と、第一の解析サブモジュール９１２と、第二の解析サブモジュール９１３とを含んでも良い。
【００９５】
受信サブモジュール９１１は、基地局が無線リソース制御ＲＲＣシグナリングにより送信した、現在のＲＭＳＩのＣＯＲＥＳＥＴに対応する帯域幅部分をアクティブ帯域幅部分として配置するために用いられる第二の配置情報を受信するように配置されている。
【００９６】
第一の解析サブモジュール９１２は、受信サブモジュール９１１により受信された第二の配置情報からＩＥを解析するように配置されている。
【００９７】
第二の解析サブモジュール９１３は、第一の解析サブモジュール９１２により解析されたＩＥから第一の配置情報を解析するように配置されている。
【００９８】
上述した実施例においては、第二の配置情報を受信し、第二の配置情報からＩＥを解析し、その後、当該ＩＥから第一の配置情報を解析するので、実現方法が簡単である。
【００９９】
図１３は、本願の１つの例示する実施例による、１つの情報配置装置に適するブロック図である。装置１３００は、基地局として提供することができる。図１３に示すように、装置１３００は、処理コンポーネント１３２２、無線発射／受信コンポーネント１３２４、アンテナコンポーネント１３２６及び無線インターフェースの特有の信号処理部分を含み、処理コンポーネント１３２２は、１つ又は複数のプロセッサを更に含んでも良い。
【０１００】
処理コンポーネント１３２２の中の１つのプロセッサは、現在の残存最小システム情報ＲＭＳＩの共通制御リソースセットＣＯＲＥＳＥＴに対応する同期信号ブロックＳＳＢの時間周波数位置を表すために用いられる第一の配置情報を生成し、ユーザ端末ＵＥに第一の配置情報を送信するように配置されても良い。
【０１０１】
例示する実施例においては、コマンドを含む非一時的コンピュータ読み取り可能な記憶媒体を更に提供する。前記コマンドは、装置１３００の処理コンポーネント１３２２により実行されることで、上述した情報配置方法を完成する。例えば、非一時的コンピュータ読み取り可能な記憶媒体は、ＲＯＭ、ランダムアクセスメモリ（ＲＡＭ）、ＣＤ−ＲＯＭ、磁気テープ、フロッピーディスク及び光学データ記憶装置等であっても良い。
【０１０２】
図１４は、本願の１つの例示する実施例による、１つの時間周波数位置の確定装置に適するブロック図である。例えば、装置１４００は、携帯電話、コンピュータ、デジタル放送端末、メッセージ送受信デバイス、ゲームコンソール、タブレットデバイス、医療設備、健康器具、パーソナルデジタルアシスタント等のユーザ端末であっても良い。
【０１０３】
図１４に示すように、装置１４００は、処理コンポーネント１４０２、メモリ１４０４、電源コンポーネント１４０６、マルチメディアコンポーネント１４０８、オーディオコンポーネント１４１０、入力／出力（Ｉ／Ｏ）のインターフェース１４１２、センサコンポーネント１４１４及び通信コンポーネント１４１６のうちの１つ又は複数のコンポーネントを含んでも良い。
【０１０４】
処理コンポーネント１４０２は、通常、装置１４００全体の操作を制御し、例えば、表示、電話コール、データ通信、カメラ操作及び記録操作に関連する操作である。処理コンポーネント１４０２は、上述した方法の全部又は一部のステップを完成するために、１つ又は複数のプロセッサ１４２０を含んでコマンドを実行することができる。また、処理コンポーネント１４０２は、他のコンポーネントとインタラクティブしやすくするために、１つ又は複数のモジュールを含んでも良い。例えば、処理コンポーネント１４０２は、マルチメディアコンポーネント１４０８とインタラクティブしやすくするために、マルチメディアモジュールを含んでも良い。
【０１０５】
処理コンポーネント１４０２の中の１つのプロセッサ１４２０は、基地局から送信された、現在の残存最小システム情報ＲＭＳＩの共通制御リソースセットＣＯＲＥＳＥＴに対応する同期信号ブロックＳＳＢの時間周波数位置を表すために用いられる第一の配置情報を受信し、現在のＲＭＳＩのＣＯＲＥＳＥＴの位置及び第一の配置情報に基づき、現在のＲＭＳＩのＣＯＲＥＳＥＴに対応するＳＳＢの時間周波数位置を確定するように配置されても良い。
【０１０６】
メモリ１４０４は、装置１４００の操作をサポートするために、様々なタイプのデータを記憶するように配置されている。これらのデータの例は、装置１４００の操作に用いられる任意のアプリケーションプログラム又は方法のコマンド、連絡先データ、電話帳データ、メッセージ、ピクチャー、ビデオ等を含む。メモリ１４０４は、任意のタイプの揮発性又は非揮発性記憶デバイス又はこれらの組み合わせにより実現することができ、例えば、スタティックランダムアクセスメモリ（ＳＲＡＭ）、電気的消去可能プログラマブルリードオンリーメモリ（ＥＥＰＲＯＭ）、消去可能プログラマブルリードオンリーメモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスク又は光ディスクである。
【０１０７】
電源コンポーネント１４０６は、装置１４００の様々なコンポーネントに電力を提供する。電源コンポーネント１４０６は、電源管理システム、１つ又は複数の電源、及び装置１４００のための電力の生成、管理及び配分に関連する他のコンポーネントを含んでも良い。
【０１０８】
マルチメディアコンポーネント１４０８は、装置１４００とユーザの間に１つの出力インターフェースを提供するスクリーンを含む。幾つかの実施例においては、スクリーンは、液晶ディスプレイ（ＬＣＤ）及びタッチパネル（ＴＰ）を含んでも良い。スクリーンは、タッチパネルを含むのであれば、スクリーンは、ユーザからの入力信号を受信するために、タッチスクリーンとして実現することができる。タッチパネルは、タッチ、スライド及びタッチパネル上のジェスチャーを感知するために、１つ又は複数のタッチセンサを含む。タッチセンサは、タッチ又はスライドの動作の境界を感知するだけではなく、タッチ又はスライドの操作に関する持続時間及び圧力も検出することができる。幾つかの実施例においては、マルチメディアコンポーネント１４０８は、１つの前置カメラ及び／又は後置カメラを含む。装置１４００が撮影モード又はビデオモードのような操作モードである場合、前置カメラ及び／又は後置カメラは、外部のマルチメディアデータを受信することができる。それぞれの前置カメラ及び後置カメラは、固定された１つの光学レンズ系であっても良く、又は、焦点距離及び光学ズーム機能を有しても良い。
【０１０９】
オーディオコンポーネント１４１０は、オーディオ信号を出力及び／又は入力するように配置されている。例えば、オーディオコンポーネント１４１０は、１つのマイク（ＭＩＣ）を含み、装置１４００がコールモード、記録モード及び音声認識モードのような操作モードである場合、マイクは、外部のオーディオ信号を受信するように配置されている。受信されたオーディオ信号は、メモリ１４０４に更に記憶しても良く、又は、通信コンポーネント１４１６により送信しても良い。幾つかの実施例においては、オーディオコンポーネント１４１０は、オーディオ信号を出力するためのスピーカーを更に含む。
【０１１０】
Ｉ／Ｏインターフェース１４１２は、処理コンポーネント１４０２と周辺インターフェースモジュールの間にインターフェースを提供し、前記周辺インターフェースモジュールは、キーボード、クリックホイール、ボタン等であっても良い。これらのボタンは、ホームボタン、音量ボタン、起動ボタン及びロックボタンを含んでも良いが、これらに限らない。
【０１１１】
センサコンポーネント１４１４は、装置１４００に様々な方面の状態の評価を提供するために、１つ又は複数のセンサを含む。例えば、センサコンポーネント１４１４は、装置１４００のオン／オフの状態、コンポーネントの相対的な位置決めを検出することができ、例えば、コンポーネントは、装置１４００のディスプレイ及び小さいキーボードであり、センサコンポーネント１４１４は、装置１４００又は装置１４００の１つのコンポーネントの位置の変化、ユーザと装置１４００の接触があるか否か、装置１４００の方位又は加速／減速及び装置１４００の温度の変化も検出することができる。センサコンポーネント１４１４は、如何なる物理的な接触もない時に、近くにある物体の存在を検出するように配置されている近接センサを含んでも良い。センサコンポーネント１４１４は、撮像応用において用いられる、ＣＭＯＳ又はＣＣＤ画像センサのような光センサを更に含んでも良い。幾つかの実施例においては、当該センサコンポーネント１４１４は、加速度センサ、ジャイロセンサ、磁気センサ、圧力センサ又は温度センサを更に含んでも良い。
【０１１２】
通信コンポーネント１４１６は、装置１４００とその他のデバイスの間の無線又は有線方式の通信をしやすくするように配置されている。装置１４００は、通信規格に基づく無線ネットワークにアクセスすることができ、例えば、ＷｉＦｉ、２Ｇ又は３Ｇ又はこれらの組み合わせである。一つの例示する実施例においては、通信コンポーネント１４１６は、ブロードキャストチャネルにより外部のブロードキャスト管理システムからのブロードキャスト信号又はブロードキャスト関連情報を受信する。一つの例示する実施例においては、通信コンポーネント１４１６は、短距離通信を促進するために、近距離無線通信（ＮＦＣ）モジュールを更に含む。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及びその他の技術に基づいて実現することができる。
【０１１３】
例示する実施例においては、装置１４００は、上述した方法を実行するために、１つ又は複数の特定用途向け集積回路（ＡＳＩＣ）、デジタル信号プロセッサ（ＤＳＰ）、デジタル信号処理装置（ＤＳＰＤ）、プログラマブル論理装置（ＰＬＤ）、フィールドプログラマブルゲートアレイ（ＦＰＧＡ）、コントローラ、マイクロコントローラ、マイクロプロセッサ又はその他の電子部品により実現することができる。
【０１１４】
例示する実施例においては、コマンドを含む非一時的コンピュータ読み取り可能な記憶媒体を更に提供し、例えば、コマンドを含むメモリ１４０４であり、前記コマンドは、装置１４００のプロセッサ１４２０により実行することにより、上述した方法を完成する。例えば、非一時的コンピュータ読み取り可能な記憶媒体は、ＲＯＭ、ランダムアクセスメモリ（ＲＡＭ）、ＣＤ―ＲＯＭ、磁気テープ、フロッピーディスク及び光学データ記憶装置であっても良い。
【０１１５】
装置の実施例については、方法の実施例に大体対応しているので、関連箇所は、方法の実施例の部分に関する説明を参考すれば良い。以上の記述された装置の実施例は、例示的に過ぎず、その中の個別の部材として説明したユニットは、物理的に分離されても良く、物理的に分離されなくても良く、ユニットして表示される部材は、物理的なユニットであっても良く、物理的なユニットではなくても良く、言い換えれば、一か所に位置しても良く、複数のネットワークユニットに分布しても良い。実際のニーズに応じてその中の一部又は全部のモジュールを選択して本実施例の技術案の目的を実現することができる。当業者は、創造性のある労働を必要せずに理解して実現することができる。
【０１１６】
なお、本文においては、第一及び第二等のような関係用語は、ただ１つの実体（エンティティ）又は操作ともう１つの実体又は操作を区別するために用いられ、必ずしもこれらの実体又は操作の間に如何なる実際の関係又は順番が存在することを求める又は暗示するものではない。用語「含む」、「有する」又はその任意の他の変形は、非排他性の含みをカバーすることを意味するので、一連の要素を含むプロセス、方法、物品又はデバイスは、それらの要素を含むだけではなく、列挙されていない他の要素も含み、又は、これらのプロセス、方法、物品又はデバイスの固有の要素も含む。更なる制限がない限り、語句「１つ……を含む」によって限定される要素は、前記要素を含むプロセス、方法、物品又はデバイスに、他の同じ要素も存在することを排除しない。
【０１１７】
当業者は、明細書を考慮し、ここで開示された内容を実施した後、本開示の他の実施案を容易に想到することができる。本願は、本開示の任意の変形、用途又は適切な変化を含むことを目的とし、これらの変形、用途又は適切な変化は、本開示の一般的な原理に従い、本願において開示されていない当該技術分野の周知の常識又は慣用技術的手段を含む。明細書及び実施例は、例示的なものと見なされ、本開示の本当の範囲及び精神は、特許請求の範囲により決められる。
【０１１８】
本開示は、上述において記載され、図面に示されている正確な構造に限らず、その範囲から逸脱しないかぎり、様々な修正及び変更を行うことができることを理解すべきである。本開示の範囲は、付属する特許請求の範囲のみにより制限される。
【手続補正２】
【補正対象書類名】特許請求の範囲
【補正対象項目名】全文
【補正方法】変更
【補正の内容】
【特許請求の範囲】
【請求項１】
基地局に用いられる情報配置方法であって、
現在の残存最小システム情報ＲＭＳＩの共通制御リソースセットＣＯＲＥＳＥＴに対応する同期信号ブロックＳＳＢの時間周波数位置を表すために用いられる第一の配置情報を生成することと、
ユーザ端末ＵＥに前記第一の配置情報を送信することと、を含むことを特徴とする情報配置方法。
【請求項２】
ＵＥに前記第一の配置情報を送信することは、
前記第一の配置情報を情報要素ＩＥに付加することと、
前記ＩＥを、前記現在のＲＭＳＩのＣＯＲＥＳＥＴに対応する帯域幅部分をアクティブ帯域幅部分として配置するために用いられる第二の配置情報に付加することと、
無線リソース制御ＲＲＣシグナリングにより前記ＵＥに前記第二の配置情報を送信することと、を含むことを特徴とする請求項１に記載の方法。
【請求項３】
ユーザ端末ＵＥに用いられる時間周波数位置の確定方法であって、
基地局から送信された、現在の残存最小システム情報ＲＭＳＩの共通制御リソースセットＣＯＲＥＳＥＴに対応する同期信号ブロックＳＳＢの時間周波数位置を表すために用いられる第一の配置情報を受信することと、
現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定することと、を含むことを特徴とする時間周波数位置の確定方法。
【請求項４】
現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うことを更に含むことを特徴とする請求項３に記載の方法。
【請求項５】
現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うことと、
前記ＳＳＢを受信することと、
受信した前記ＳＳＢを基準波束とすることと、を更に含むことを特徴とする請求項３に記載の方法。
【請求項６】
基地局から送信された第一の配置情報を受信することは、
前記基地局が無線リソース制御ＲＲＣシグナリングにより送信した、前記現在のＲＭＳＩのＣＯＲＥＳＥＴに対応する帯域幅部分をアクティブ帯域幅部分として配置するために用いられる第二の配置情報を受信することと、
前記第二の配置情報の中から情報要素ＩＥを解析することと、
前記ＩＥの中から前記第一の配置情報を解析することと、を含むことを特徴とする請求項３に記載の方法。
【請求項７】
基地局に用いられる情報配置装置であって、
現在の残存最小システム情報ＲＭＳＩの共通制御リソースセットＣＯＲＥＳＥＴに対応する同期信号ブロックＳＳＢの時間周波数位置を表すために用いられる第一の配置情報を生成するように配置されている生成モジュールと、
ユーザ端末ＵＥに前記生成モジュールにより生成された前記第一の配置情報を送信するように配置されている送信モジュールと、を含むことを特徴とする情報配置装置。
【請求項８】
前記送信モジュールは、
前記第一の配置情報を情報要素ＩＥに付加するように配置されている第一の付加サブモジュールと、
前記第一の付加サブモジュールにより前記第一の配置情報が付加された前記ＩＥを、前記現在のＲＭＳＩのＣＯＲＥＳＥＴに対応する帯域幅部分をアクティブ帯域幅部分として配置するために用いられる第二の配置情報に付加する第二の付加サブモジュールと、
無線リソース制御ＲＲＣシグナリングにより、前記第二の付加サブモジュールで前記ＩＥが付加された前記第二の配置情報を前記ＵＥに送信するように配置されている送信サブモジュールと、を含むことを特徴とする請求項７に記載の装置。
【請求項９】
ユーザ端末ＵＥに用いられる時間周波数位置の確定装置であって、
基地局から送信された、現在の残存最小システム情報ＲＭＳＩの共通制御リソースセットＣＯＲＥＳＥＴに対応する同期信号ブロックＳＳＢの時間周波数位置を表すために用いられる第一の配置情報を受信するように配置されている第一の受信モジュールと、
現在のＲＭＳＩのＣＯＲＥＳＥＴの位置及び前記第一の受信モジュールにより受信された前記第一の配置情報に基づき、前記現在のＲＭＳＩのＣＯＲＥＳＥＴに対応する前記ＳＳＢの時間周波数位置を確定するように配置されている第一の確定モジュールと、を含むことを特徴とする時間周波数位置の確定装置。
【請求項１０】
前記第一の確定モジュールにより前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うように配置されているレートマッチングモジュールを更に含むことを特徴とする請求項９に記載の装置。
【請求項１１】
前記第一の確定モジュールにより前記現在のＲＭＳＩのＣＯＲＥＳＥＴに対応する前記ＳＳＢの時間周波数位置を確定した後、前記ＳＳＢの時間周波数位置に基づき、ランダムアクセスプロセスの中の下りデータとレートマッチングを行うように配置されているレートマッチングモジュールと、
前記レートマッチングモジュールによりレートマッチングを行った後、前記ＳＳＢを受信するように配置されている第二の受信モジュールと、
前記第二の受信モジュールにより受信された前記ＳＳＢを基準波束とするように配置されている第二の確定モジュールと、を更に含むことを特徴とする請求項９に記載の装置。
【請求項１２】
前記第一の受信モジュールは、
前記基地局が無線リソース制御ＲＲＣシグナリングにより送信した、前記現在のＲＭＳＩのＣＯＲＥＳＥＴに対応する帯域幅部分をアクティブ帯域幅部分として配置するために用いられる第二の配置情報を受信するように配置されている受信サブモジュールと、
前記受信サブモジュールにより受信された前記第二の配置情報の中から情報要素ＩＥを解析するように配置されている第一の解析サブモジュールと、
前記第一の解析サブモジュールにより解析された前記ＩＥの中から前記第一の配置情報を解析するように配置されている第二の解析サブモジュールと、を含むことを特徴とする請求項９に記載の装置。
【請求項１３】
プロセッサと、
プロセッサにより実行可能なコマンドを記憶するためのメモリと、を含み、
前記プロセッサは、現在の残存最小システム情報ＲＭＳＩの共通制御リソースセットＣＯＲＥＳＥＴに対応する同期信号ブロックＳＳＢの時間周波数位置を表すために用いられる第一の配置情報を生成し、ユーザ端末ＵＥに前記第一の配置情報を送信するように配置されていることを特徴とする基地局。
【請求項１４】
プロセッサと、
プロセッサにより実行可能なコマンドを記憶するためのメモリと、を含み、
前記プロセッサは、基地局から送信された、現在の残存最小システム情報ＲＭＳＩの共通制御リソースセットＣＯＲＥＳＥＴに対応する同期信号ブロックＳＳＢの時間周波数位置を表すために用いられる第一の配置情報を受信し、現在のＲＭＳＩのＣＯＲＥＳＥＴの位置及び前記第一の配置情報に基づき、前記現在のＲＭＳＩのＣＯＲＥＳＥＴに対応する前記ＳＳＢの時間周波数位置を確定するように配置されていることを特徴とするユーザ端末。
【請求項１５】
コンピュータコマンドを記憶するコンピュータ読み取り可能な記憶媒体であって、
当該コマンドがプロセッサにより実行される場合、請求項１又は２に記載の情報配置方法のステップを実現することを特徴とするコンピュータ読み取り可能な記憶媒体。
【請求項１６】
コンピュータコマンドを記憶するコンピュータ読み取り可能な記憶媒体であって、
当該コマンドがプロセッサにより実行される場合、請求項３〜６の何れか１項に記載の時間周波数位置の確定方法のステップを実現することを特徴とするコンピュータ読み取り可能な記憶媒体。
【国際調査報告】
2021511758.tif 000020
2021511758.tif 000021
2021511758.tif 000022
2021511758.tif 000023